(57)【特許請求の範囲】
【請求項１】
各ボーリングボールの重さ及び整理番号から成る固有情報と当該固有情報に対応するボーリングボールの指穴の大きさ、間隔の情報並びに収納棚の収納位置情報、現在の利用可否の情報を格納した第１のデータベースと、
ボーリングボールの収納棚に向けて読取り電波を発信し、収納棚の各収納位置に取付けた無線タグから収納位置情報と、各収納位置に収納されたボーリングボールに取付けた無線タグから各ボーリングボールの重さ及び整理番号から成る固有情報を読取り、各収納位置におけるボーリングボールの収納状態を検出し、検出した収納状態に応じて前記第１のデータベースの利用可否の情報を更新する第１の手段と、
利用者の手の形状を光学的に読取り、その読取り画像からボーリングボールを把持する指に関する身体属性を解析する第２の手段と、解析結果の身体属性の情報により前記第１のデータベースを検索し、利用者の身体属性に適したボーリングボールの収納位置を抽出し、利用可否と収納位置を利用者に通知する第３の手段とを備えることを特徴とするボーリングボール自動検索システム。
【請求項２】
利用者が前回の競技時に利用したボーリングボールの重さ及び整理番号から成る固有情報と当該固有情報に対応するボーリングボールの指穴の大きさ、間隔の情報を利用者ＩＤと対応付けて記憶する第２のデータベースと、入力装置から入力された利用者ＩＤによって前記第２のデータベースを検索し、利用者が前回の競技時に利用したボーリングボールの固有情報を取得し、その固有情報によって第１のデータベースを検索し、当該固有情報を前記第３の手段に転送し、当該固有情報に対応するボーリングボールの収納位置を抽出し、利用可否と収納位置を利用者に通知させる第４の手段とをさらに備えることを特徴とする請求項１に記載のボーリングボール自動検索システム。
【発明の詳細な説明】
【技術分野】
【０００１】
本発明は、ボーリングセンタにおいて利用者に適したボーリングボールが収納棚のどこにあるかを自動検索するボーリングボール自動検索システムに関するものである。
【背景技術】
【０００２】
従来、ボーリングセンタにて利用者が競技を行う場合、利用者はボーリングセンターのフロントにてゲーム受付けを行った後、センター内に備え付けられているボーリングボールの収納棚の位置に赴き、指穴の位置やサイズ、重さが異なる多数のボーリングボールの中から利用者自身に適したボーリングボールを、実際に手に取り、かつ指穴に指を入れながら探し出すという準備作業を行う必要がある。しかし、候補となるボーリングボールが多数存在するため、時間がかかり、自分に適したボーリングボールを探しきれず、妥協という形で競技に望まざるを得ないという問題があった。
ボーリング場における競技を管理するシステムとして、例えば下記の特許文献１に開示されたものがある。
【０００３】
【特許文献１】特表２００２−５１２８６９
【発明の開示】
【発明が解決しようとする課題】
【０００４】
しかしながら、上記特許文献１に開示されたものは、競技中における得点を管理するものであって、利用者自身に適したボーリングボールの候補を探し出すことについては全く想定していないものである。
【０００５】
本発明の目的は、利用者自身の指の太さや長さなどの身体属性に適合したボーリングボールの収納位置を検索して利用者に通知し、競技開始前の事前準備に手間取ることなく競技を開始できるように支援することができるボーリングボール自動検索システムを提供することにある。
【課題を解決するための手段】
【０００６】
上記目的を達成するために、本発明に係るボーリングボール自動検索システムは、各ボーリングボールの重さ及び整理番号から成る固有情報と当該固有情報に対応するボーリングボールの指穴の大きさ、間隔の情報並びに収納棚の収納位置情報、現在の利用可否の情報を格納した第１のデータベースと、
ボーリングボールの収納棚に向けて読取り電波を発信し、収納棚の各収納位置に取付けた無線タグから収納位置情報と、各収納位置に収納されたボーリングボールに取付けた無線タグから各ボーリングボールの重さ及び整理番号から成る固有情報を読取り、各収納位置におけるボーリングボールの収納状態を検出し、検出した収納状態に応じて前記第１のデータベースの利用可否の情報を更新する第１の手段と、
利用者の手の形状を光学的に読取り、その読取り画像からボーリングボールを把持する指に関する身体属性を解析する第２の手段と、解析結果の身体属性の情報により前記第１のデータベースを検索し、利用者の身体属性に適したボーリングボールの収納位置を抽出し、利用可否と収納位置を利用者に通知する第３の手段とを備えることを特徴とする。
また、利用者が前回の競技時に利用したボーリングボールの重さ及び整理番号から成る固有情報と当該固有情報に対応するボーリングボールの指穴の大きさ、間隔の情報を利用者ＩＤと対応付けて記憶する第２のデータベースと、入力装置から入力された利用者ＩＤによって前記第２のデータベースを検索し、利用者が前回の競技時に利用したボーリングボールの固有情報を取得し、その固有情報によって第１のデータベースを検索し、当該固有情報を前記第３の手段に転送し、当該固有情報に対応するボーリングボールの収納位置を抽出し、利用可否と収納位置を利用者に通知させる第４の手段とを備えることを特徴とする。
【発明の効果】
【０００７】
本発明によれば、利用者自身の指の太さや長さなどの身体属性に適合したボーリングボールの収納位置を検索して利用者に通知し、競技開始前の事前準備に手間取るとこなく競技を開始できるように支援することができる。
【発明を実施するための最良の形態】
【０００８】
以下、本発明を実施する場合の一形態を図面を参照して具体的に説明する。
図１は、本発明の実施の一形態のボーリングボール自動検索システムの構成を示すブロック図であり、ボーリングセンターには情報管理室１と、フロント２と、ボーリングボール収納棚３が設けられている。
情報管理室１は、情報管理・検索情報編集装置８と、データベースサーバ９と、情報受信装置１３と、アンテナ１４で構成され、情報管理・検索情報編集装置８とデータベースサーバ９とはＬＡＮ１１で接続され、情報管理・検索情報編集装置８と情報受信装置１３とはケーブルで接続されている。
【０００９】
フロント２は、利用者の手５の画像を入力する画像入力装置４と、利用者ＩＤ６−１を入力できるキーボード装置６と、ユーザインタフェース装置７と、データ出力装置１０で構成され、ユーザインタフェース装置７はＬＡＮ１１で情報管理室１と接続され、画像入力装置４及びデータ出力装置１０はユーザインタフェース装置７にケーブルで接続されている。
【００１０】
ボーリングボール収納棚３は、ボール棚３−１と、ハウスボール３−２と棚に設置したＩＣタグ３−３と、ボールに取付けたＩＣタグ３−４と、情報取得装置１２とアンテナ１４の構成からなっている。
ＩＣタグ３−３は、情報取得装置１２に接続されたアンテナ１４から発信された読取り電波に応答し、棚番号、棚内番、棚内位置を示す情報を無線電波によって情報取得装置１２に返信するものである。
ＩＣタグ３−４は、情報取得装置１２に接続されたアンテナ１４から発信された読取り電波に応答し、ボールの重さ（ポンド）および整理番号を示す情報を無線電波によって情報取得装置１２に返信するものである。
【００１１】
フロント２に置かれたユーザインタフェース装置７は、利用者の手５の画像を画像入力装置４より取得し、その手画像データをＬＡＮ１１で接続された情報管理・検索情報編集装置８に転送する機能を備え、さらにボーリングボール収納棚３はボール棚３−１に置かれたボールの在庫情報を情報管理室１への無線電波による情報転送１５で転送する機能を備えている。
【００１２】
図２は、ユーザインタフェース装置７の構成を説明する図であり、情報管理・検索情報編集装置８とのデータの入出力を行うデータインタフェース制御部７−１と、画像入力装置４から画像を取り込む手画像情報解析抽出部１６と、キーボード入力装置６から利用者ＩＤ６−１等を入力する検索情報入力制御部７−２と、データ出力装置１０に検索結果を出力する検索結果情報出力制御部７−３を有している。
【００１３】
図３は、手画像情報解析抽出部１６を説明する図であり、映像入力装置４から画像を取り込む画像データ入出力制御部１６−１と、画像データの解析を行う画像データ解析制御部１６−２と、手の大きさ、親指の太さ、中指の太さといった利用者固有の身体属性情報を抽出する画像情報抽出制御部１６−３を有している。
【００１４】
図４は、情報管理・検索情報編集装置８の構成を説明する図であり、データの入出力を行うデータインタフェース制御部８−１と、ユーザインタフェース装置７から得た手の大きさ、親指の太さ、中指の太さからスパン（図９参照）を導き出すスパン情報算出制御部８−２と、ボーリングボール位置情報検出制御部８−３と、データ管理制御部（在庫）８−４と、情報編集制御部（検索・管理）８−５を有している。
【００１５】
図５は、ボーリングボールの収納位置を随時監視し、位置情報を情報管理・検索情報編集装置８に転送するボーリングボール収納棚３を説明する図であり、ハウスボール３−２を格納するボール棚３−１と、棚に設置したＩＣタグ３−３及びボールに取付けたＩＣタグ３−４の情報を読込む情報取得装置１２と、読取った位置情報を転送するアンテナ１４からなっている。
【００１６】
図６は、データベースサーバ９の構成を説明する図であり、情報管理・検索情報編集装置８とのデータの入出力を行うデータインタフェース制御部９−１と、ユーザデータベース９−６及びハウスボール在庫情報データベース９−７を検索・更新するハウスボールデータ検索制御部９−２と、ハウスボールデータ管理制御部９−３と、利用者ＩＤ６−１及び利用者の手情報を管理するユーザデータ管理制御部９−４と、ユーザデータベース９−６及びハウスボール在庫情報データベース９−７のアクセスを制御するデータベースアクセス制御部９−５を有している。
【００１７】
図７は、ユーザデータベース９−６を説明する図であり、利用者ＩＤ９−６−１、スパン９−６−２、サムホール９−６−３、ミドルホール９−６−４、リングホール９−６−５、前回候補（１）９−６−６、前回候補（２）９−６−７、前回候補（３）９−６−８、前回候補（４）９−６−９、前回候補（５）９−６−１０から構成されている。
前回候補（１）９−６−６は、利用者が使用した過去５回のボーリングボールのうち最新に使用したボーリングボールの重さと整理番号を示すものであり、その整理番号のボーリングボールのスパン等の固有の属性がスパン９−６−２、サムホール９−６−３、ミドルホール９−６−４、リングホール９−６−５である。
【００１８】
図８は、ハウスボール在庫情報データベース９−７を説明する図であり、ボール番号９−７−１、ポンド９−７−２、スパン９−７−３、サムホール９−７−４、ミドルホール９−７−５、リングホール９−７−６、収納位置９−７−７、状態９−７−８から構成されている。
ボール番号９−７−１は、ボーリングボールの重さと整理番号を示すものであり、その整理番号のボーリングボールのスパン等の固有の属性がポンド９−７−２、スパン９−７−３、サムホール９−７−４、ミドルホール９−７−５、リングホール９−７−６である。収納位置９−７−７は、ボール棚３−１における収納位置を示すものであり、棚番号、棚内番、棚内位置の情報で構成されている。
状態９−７−８は、各収納位置のボールが現在使用中であるか、提供可能状態であるか、あるいは滅却状態であるかを示す情報である。
【００１９】
図９は、ボーリングボールと手の関係１７を説明する図であり、ボーリングボールはサムホール（親指穴）１７−４と、ミドルホール（中指穴）１７−１と、リングホール（薬指穴）１７−２で構成され、またサムホールとミドルホール及びリングホールの間隔をスパン１７−３と読んでいる。さらに手との関係は、サムホール（親指穴）１７−４はサムホール直径１７−５と、ミドルホール（中指穴）１７−１は、ミドルホール直径１７−６と、リングホール（薬指穴）１７−２は、リングホール直径１７−７とリンクしており、スパン１７−３は、手の位置ｂ１７−１３から第二関節１７−１１の位置ｄ１７−１５より位置ｆ１７−１７に向かって約７ｍｍ〜１ｃｍのｄ，ｅ間１７−９の位置ｅ１７−１６までのｂ、ｅ間１７−８がスパンに該当する。
【００２０】
図１０は、ボーリングボールを格納する棚とボーリングボールに貼り付けたＩＣタグ３−３、３−４の記録情報１８を説明する図であり、棚３−１に設置したＩＣタグ３−３の記録情報は、棚番号１８−４と、棚内番号１８−５と、棚内位置１８−６から構成されている。
ボーリングボール１８−３のＩＣタグ３−４の記録情報は、重さ１８−１と、整理番号１８−２から構成されている。
【００２１】
図１１は、手と指（中指）との比率１９を説明する図であり、手首１９−５から中指１９−６の先端までの長さと手の平の長さ及び指の長さにはほぼ同様に黄金比率的にも、また統計的にも、比率Ａ：Ｂ１９−１、比率Ａ'：Ｂ'１９−２、比率Ａ"：Ｂ"１９−３、比率Ｃ：Ｄ１９−４が成り立っている。
【００２２】
図１２は、利用者の手に適合した、検索結果の出力リスト内容２０を説明した図であり、利用者ＩＤ２０−１と、ボール番号２０−２と、ボールが今存在する位置２０−３の出力結果リストの構成となっている。
ボール番号２０−２は、重さと整理番号を表わすものである。位置２０−３は、棚番号、棚内番、棚内位置を表わすものである。
【００２３】
図１３は、ハウスボール在庫情報データベース９−７を変更管理するハウスボール在庫情報変更画面２１を説明する図であり、ボール番号を変更できるボール番号投入エリア２１−１と、ポンド（重さ）を変更できるポンド投入エリア２１−２と、スパンを変更できるスパン投入エリア２１−３と、サムホールを変更できるサムホール投入エリア２１−４と、ミドルホールを変更できるミドルホール投入エリア２１−５と、リングホールを変更できるリングホール投入エリア２１−６と、状態を変更できる状態投入エリア２１−７の構成となっている。
【００２４】
図１４は、ボールの位置を検索する操作と検索結果を出力するボール検索・結果画面２２を説明する図であり、操作手順を示す操作文言２２−１と、初めてのボタン２２−２と、利用者ＩＤ投入エリア２２−３と、検索ボタン２２−４と、検索結果エリア２２−５と、利用者ＩＤ表示エリア２２−６の構成となっている。
【００２５】
図１５は、情報取得装置１２の構成を説明する図であり、ボール棚３−１に設置したＩＣタグ３−３と、ボールに取付けたＩＣタグ３−４の情報を取得するＩＣタグ通信部１２−２と、取得した情報をアンテナ１４を介して情報受信装置１３に配信する情報配信部１２−３と、それらを制御する情報取得装置制御部１２−１を有している。
図１に示すように本発明であるボーリングボール自動検索システムは、例えば利用者は、ボーリングセンタのフロント２でプレーの予約を行い、ハウスボールを借りることになることから、利用者はユーザインタフェース装置７の図１４に示すボール検索・結果画面２２からボール検索の情報を入力する。
【００２６】
利用者は、操作文言２２−１を読み、初めてボーリングセンターを利用する場合は、初めてのボタン２２−２をタッチし、次に画像入力装置４に利用者の手５をかざして手の画像データをシステム側に取り込ませる。また以前に当ボーリングセンターを利用した経験があれば、利用者ＩＤ投入エリア２２−３にキーボード装置６から利用者ＩＤ６−１を入力し、検索ボタン２２−４をタッチする。
その後、図２に示すユーザインタフェース装置７は、初めての場合は、画像入力装置４が読取った手画像を画像データ入出力制御部１６−１を介して手画像情報解析抽出部１６に取り込む。
【００２７】
手画像情報解析抽出部１６は、取り込んだ手画像を図３に示す画像データ入出力制御部１６−１及び画像データ解析制御部１６−２を通して画像情報抽出制御部１６−３に渡す。
画像情報抽出制御部１６−３は、入力された手画像のデータに基づき、図９に示す手の位置ａ１７−１２から位置ｆ１７−１７の長さデータと、サムホール直径１７−５と、ミドルホール直径１７−６と、リングホール直径１７−７の太さデータを検索データとして抽出し、データインタフェース制御部７−１経由で情報管理・検索情報編集装置８にＬＡＮ１１を介して転送する。
【００２８】
一方、利用した経験ありの利用者の場合は、利用者ＩＤ６−１をキーボード装置６によって入力する。入力された利用者ＩＤ６−１は検索情報入力制御部７−２及びデータインタフェース制御７−１経由で、情報管理・検索情報編集装置８に検索データとして転送される。
図４に示すように情報管理・検索情報編集装置８は、データインタフェース制御部８−１を通して、検索データを受信して、スパン情報算出制御部８−２にて、画像情報抽出制御部１６−３にて得た、手の位置ａ１７−１２から位置ｆ１７−１７の長さデータを基に、図１１に示すような手と指（中指）との比率１９のデータを活用して、位置ｂ１７−１３から位置ｄ１７−１５の長さを求め、その長さに７ｍｍを加算した長さを求め、ｂ、ｅ間（スパン）１７−８とする。また、ボール位置情報検出制御部８−３にて、それぞれ求めたサムホール直径１７−５と、ミドルホール直径１７−６と、ｂ、ｅ間（スパン）１７−８のデータ、もしくは、利用者ＩＤ６−１のデータをデータベースサーバ９に転送する。
【００２９】
図６に示すデータベースサーバ９は、データインタフェース制御部９−１を通して受信した検索データを基に、画像データ入力の場合は、図８に示すようなデータベース検索情報（ボール番号９−７−１、ポンド９−７−２、スパン９−７−３、サムホール９−７−４、ミドルホール９−７−５、リングホール９−７−６、格納場所９−７−７、状態９−７−８）にて、ハウスボール在庫情報データベース９−７を検索して、図９に示すサムホール直径１７−５と、ミドルホール直径１７−６と、ｂ、ｅ間（スパン）１７−８に合った、ボーリングボールを、ポンド毎に検索する。
検索した結果は利用者ＩＤ９−６−１を付与した、図７に示すような情報（スパン９−６−２、サムホール９−６−３、ミドルホール９−６−４、リングホール９−６−５、前回候補（１）９−６−６、前回候補（２）９−６−７、前回候補（３）９−６−８、前回候補（４）９−６−９、前回候補（５）９−６−１０）をユーザデータ管理制御部９−４、データベースアクセス制御部９−５にてユーザデータベース９−６に登録される。
ユーザデータベース９−６に登録することによって次の利用時に簡単に自分に適合するボーリングボールを検索できるようになる。
【００３０】
一方、利用者ＩＤ６−１の入力の場合は、利用者ＩＤ６−１を基に、ユーザデータベース９−６をユーザデータ管理制御部９−４、データベースアクセス制御部９−５にて検索する。それぞれ検索した結果は、情報管理・検索情報編集装置８に転送される。
情報管理・検索情報編集装置８は、情報編集制御部８−５にて、図１４に示すような検索結果エリア２２−５の内容を編集して、ユーザインタフェース装置７へ転送する。
【００３１】
ユーザインタフェース装置７は、図１４に示すように、ボール検索・結果画面２２の検索結果エリア２２−５の内容と、利用者ＩＤ表示エリア２２−６の内容を画面表示する。さらにボーリングボールを探し易くするように、図２の検索結果情報出力制御部７−３にて、データ出力装置１０に、図１２に示すような、利用者ＩＤ２０−１と、ボール番号２０−２と、位置２０−３を持つ検索結果の出力リスト２０をプリントアウトする。
そのリストを基に利用者は、極めて容易に自分の手の形状に適したボーリングボール、あるいは前回使用したボーリングボールを素早く入手することができる。
【００３２】
ハウスボール在庫情報データベース９−７は、常に、図５に示すボール棚３−１に格納されているボールに取付けたＩＣタグ３−４と、棚に設置したＩＣタグ３−３の情報を、図１５に示す情報取得装置１２を利用して読み込み、図８のデータベースレコードに、ボール番号９−７−１、ポンド９−７−２、スパン９−７−３、サムホール９−７−４、ミドルホール９−７−５、リングホール９−７−６、格納場所９−７−７、状態９−７−８を付与し、データ管理制御部（在庫）８−４と、ハウスボールデータ管理制御部９−３と、データベースアクセス制御部９−５を通じて更新する。
【００３３】
図１６は、ボール収納状態更新処理の概要を示すフローチャートであり、情報取得装置１２は予め定めた時間間隔で収納棚３に取付けたＩＣタグ３−３及びボールに取付けたＩＣタグ３−４の記録情報を読取るための読取り電波を送信する（ステップ１６０１）。
収納棚３の各棚位置に取付けたＩＣタグ３−３及び各ボールに取付けたＩＣタグ３−４は、読取り電波に応答し、記録情報を返信する（ステップ１６０２、１６０３）。
情報取得装置１２は、ＩＣタグ３−３及びＩＣタグ３−４の記録情報を受信したならば、読取り結果をデータベースサーバ９に送信する（ステップ１６０４）。
データベースサーバ９は、受信したＩＣタグ３−３及びＩＣタグ３−４の記録情報により、ハウスボール在庫情報データベース９−７を更新する（ステップ１６０５）。
これにより、各収納位置に収納されているボールについて重さやスパンなどのボール属性が最新の収納状態に応じて更新され、また、直ぐに使用可能であるかを示す状態情報も更新される。
情報取得装置１２は、全ての収納位置のＩＣタグの記録情報を読取るまで上記の処理を繰り返す（ステップ１６０６）。
【００３４】
ボーリングボール自動検索システムは、図１３に示すハウスボール在庫情報変更画面２１にて、ハウスボール在庫情報データベース９−７を管理者が更新できる機能を有しており、ボーリングボールの処分（滅却等）の情報を適時更新できることが可能になっている。
【００３５】
図１７は、画像入力装置４から読取った手画像によって利用者の手の指の太さや指間隔などの身体属性を解析し、その解析結果によって利用者に適したボールを検索する処理の概要を示すフローチャートである。
まず、画像入力装置４の読取り部に利用者の手をかざすと、画像入力装置４は手画像を光学的に読取り（ステップ１７０１）、その読取り結果の手画像データを手画像情報解析抽出部１６に転送する。
手画像情報解析抽出部１６は、手画像データを解析し、利用者の手の指の太さや指間隔などの身体属性（中指の径、薬指の径、親指の径、スパン）を抽出し（ステップ１７０２）、その抽出結果をデータベースサーバ９に送信する（ステップ１７０３）。
デバイスサーバ９は、受信した身体属性の情報により、ハウスボール在庫情報データベース９−７を検索し（ステップ１７０４）、利用者の身体属性に適合するボールのボール番号と収納位置の情報をユーザインタフェース装置７に送信し、ユーザインタフェース装置７の画面に表示させる（ステップ１７０５）。
これにより、利用者は自分に適したボーリングボールがどの位置にあるかをきわめて容易に知ることができる。
【図面の簡単な説明】
【００３６】
【図１】本発明の一実施形態を示すシステムの構成図である。
【図２】ユーザインタフェース装置の構成図である。
【図３】手画像情報解析抽出部の構成図である。
【図４】情報管理・検索情報編集装置の構成図である。
【図５】ボーリングボール収納棚を表した図である。
【図６】データベースサーバの構成図である。
【図７】ユーザデータベースの構成図である。
【図８】ハウスボール在庫情報データベースの構成図である。
【図９】ボーリングボールと手の関係関係を表した図である。
【図１０】棚及びハウスボールとＩＣタグの構成図である。
【図１１】手と指（中指）との比率を表した説明図である。
【図１２】検索結果の出力リスト内容を表す図である。
【図１３】ハウスボール在庫情報変更画面の例を示す図である。
【図１４】ボール検索・結果画面の例を示す図である。
【図１５】情報取得装置の構成図である。
【図１６】ボール収納状態更新処理の概要を示すフローチャートである。
【図１７】画像入力装置で読取った手画像によって利用者の身体属性を解析し、その解析結果によって利用者に適したボールを検索する処理の概要を示すフローチャートである。
【符号の説明】
【００３７】
１…情報管理室、２…フロント、３…ボーリングボール収納棚、３−１…ボール棚、３−２…ハウスボール、３−３…棚に設置したＩＣタグ、３−４…ボールに取付けたＩＣタグ、４…画像入力装置、７…ユーザインタフェース装置、８…情報管理・検索情報編集装置、９…データベースサーバ、１２…情報取得装置。
【図１】
0004627041.tif 000002
【図２】
0004627041.tif 000003
【図３】
0004627041.tif 000004
【図４】
0004627041.tif 000005
【図５】
0004627041.tif 000006
【図６】
0004627041.tif 000007
【図７】
0004627041.tif 000008
【図８】
0004627041.tif 000009
【図９】
0004627041.tif 000010
【図１０】
0004627041.tif 000011
【図１１】
0004627041.tif 000012
【図１２】
0004627041.tif 000013
【図１３】
0004627041.tif 000014
【図１４】
0004627041.tif 000015
【図１５】
0004627041.tif 000016
【図１６】
0004627041.tif 000017
【図１７】
0004627041.tif 000018